(57)【要約】【課題】  スパウト付きパウチ容器に詰めたアイスクリームやシャーベット等を簡単に食することができるスパウト付きパウチ容器用キャップの提供。【解決手段】  容器本体１２及びスパウト１６を有するスパウト付きパウチ容器１０のキャップ２６に、スパウト１６の口部１８の雄螺子２２に螺合する雌螺子３０を内周面に有するキャップ穴２８と、キャップ穴２８内から突出して長さがスパウト１６の長さよりも長い棒状部３２と、を形成する。【選択図】  図１
0003117976.tif 000002
【実用新案登録請求の範囲】
【請求項１】
可撓性を有するシート状部材によって袋状に形成された容器本体と、吸出口を形成する筒状の口部が当該容器本体外に突出するとともに口部に連なって吸込口を形成する筒状の吸込部が当該容器本体内に挿入されているスパウトと、を有するスパウト付きパウチ容器において、当該スパウトの口部の外周に形成された雄螺子に螺合して着脱自在に装着されるスパウト付きパウチ容器用キャップであって、
前記雄螺子と螺合する雌螺子が内周面に形成されたキャップ穴と、
前記キャップ穴内から突出して、長さが前記スパウトの口部及び吸込部を足し合わせた長さよりも長い棒状の棒状部と、を備え、
前記雄螺子と前記雌螺子とが螺合すると、前記棒状部の先端部分が前記吸込部の先端から前記容器本体内に突出することを特徴とするスパウト付きパウチ容器用キャップ。
【請求項２】
前記棒状部の先端部分の外周面が、周方向に隣接して並ぶ３枚以上の面によって形成されていることを特徴とする請求項１に記載のスパウト付きパウチ容器用キャップ。
【請求項３】
前記棒状部の先端部分の外周面が、周方向に隣接して並ぶ３枚又は４枚の面によって形成されていることを特徴とする請求項２に記載のスパウト付きパウチ容器用キャップ。
【請求項４】
前記棒状部の先端部分の外周面を形成する面が、凹面であることを特徴とする請求項２又は請求項３に記載のスパウト付きパウチ容器用キャップ。
【請求項５】
前記棒状部の先端部分の外周面に螺旋が形成されていることを特徴とする請求項１に記載のスパウト付きパウチ容器用キャップ。
【考案の詳細な説明】
【技術分野】
【０００１】
本考案は、アイスクリームやシャーベット等を詰めるスパウト付きパウチ容器のキャップに関する。
【背景技術】
【０００２】
近年、流動性食品用の容器として、スパウト付きパウチ容器が用いられている（特許文献１を参照）。
スパウト付きパウチ容器の構成の一例を図４に示す。スパウト付きパウチ容器１０は、容器本体１２、スパウト１６及びキャップ１２６を有する。
容器本体１２は、可撓性を有するシート状部材によって袋状に形成されている。
スパウト１６は、筒状の口部１８及び筒状の吸込部２０を有する。口部１８が吸出口を形成して容器本体１２外に突出している。吸込部２０が吸込口を形成して容器本体１２内に挿入されている。口部１８の外周面上には雄螺子２２が形成されている。
【０００３】
キャップ１２６は、略円柱形をなし、キャップ穴１２８がキャップ１２６内に形成されている。キャップ１２６の一方の円形端面にはキャップ穴１２８が開口しており、キャップ１２６の他方の円形端面は閉塞している。キャップ穴１２８の内周面上には、口部１８の雄螺子２２と対応する雌螺子１３０が形成されている。キャップ１２６の外周面上には、たくさんの滑り止めの細い溝（図示せず）が形成されている。
【０００４】
最近、スパウト付きパウチ容器１０の容器本体１２にアイスクリームやシャーベット等を詰めた商品が市場で販売されている。
アイスクリームやシャーベット等は、例えば−１８℃以下の温度では、硬く凍って固体化している。温度が上昇して例えば−８℃程度になると、アイスクリームやシャーベット等は柔らかくなり、撹拌等することにより流動化して滑らかなクリーム状を呈する。そして、さらに温度が上がると、アイスクリームやシャーベット等は、完全に溶けて液体化する。
【０００５】
一般に、スパウト付きパウチ容器１０に詰められたアイスクリームやシャーベット等は−１８℃以下の冷凍庫に入れられて保存されている。飲食者は、アイスクリームやシャーベット等を食するときに、スパウト付きパウチ容器１０に詰められたアイスクリームやシャーベット等を冷凍庫から取り出す。
冷凍庫から取り出された直後においては、スパウト付きパウチ容器１０に詰められたアイスクリームやシャーベット等は、硬く凍って固体化しており、流動性を有していない。したがって、飲食者がキャップ２６を開けても、硬く凍って固体化しているアイスクリームやシャーベット等は、スパウト１６の口部１８から外へは出てこない。
【０００６】
そこで、飲食者は、キャップ２６を開ける前に、容器本体１２の外から中に詰まっているアイスクリームやシャーベット等を揉み解す。容器本体１２内のアイスクリームやシャーベット等は、揉み解されると、柔らかくなって流動化し、滑らかなクリーム状を呈する。容器本体１２内で滑らかなクリーム状を呈するアイスクリームやシャーベット等の温度は、ほぼ−８℃になっている。
【０００７】
容器本体１２内のアイスクリームやシャーベット等が流動化して柔らかくなったら、飲食者はキャップ１２６を開け、スパウト１６の口部１８を露出させる。飲食者は、口部１８を口にくわえて、容器本体１２内のアイスクリームやシャーベット等を口部１８から吸引する。飲食者がアイスクリームやシャーベット等を口部１８から吸引すると、容器本体１２が萎むので、飲食者はアイスクリームやシャーベット等を簡単に食することができる。そして、飲食者は、滑らかなクリーム状のアイスクリームやシャーベット等の食感を楽しむことができる。
【特許文献１】特開平１０−１２９７８２号公報
【考案の開示】
【考案が解決しようとする課題】
【０００８】
−１８℃以下の冷凍庫から取り出されたばかりのスパウト付きパウチ容器１０に詰められたアイスクリームやシャーベット等は、硬く凍って固体化しているので、飲食者は即座に容器本体１２内のアイスクリームやシャーベット等を食することができず、その滑らかなクリーム状の食感を楽しむこともできない。したがって、飲食者は容器本体１２内のアイスクリームやシャーベット等を柔らかく揉み解す間、アイスクリームやシャーベット等を食することを待たなければならない。
【０００９】
容器本体１２内で硬く凍っているアイスクリームやシャーベット等を揉み解して柔らかく流動化させるには、時間がかかってしまう。特に、飲食者が子供である場合には、この揉み解す作業により長い時間がかかってしまい、なかなかアイスクリームやシャーベット等を食することができない。
本考案は、上記問題を解決するものであり、その目的とするところは、スパウト付きパウチ容器に詰めたアイスクリームやシャーベット等を簡単に食することができるスパウト付きパウチ容器用キャップを提供することである。
【課題を解決するための手段】
【００１０】
本考案は、その課題を解決するために以下のような構成をとる。請求項１の考案に係るスパウト付きパウチ容器用キャップは、可撓性を有するシート状部材によって袋状に形成された容器本体と、吸出口を形成する筒状の口部が当該容器本体外に突出するとともに口部に連なって吸込口を形成する筒状の吸込部が当該容器本体内に挿入されているスパウトと、を有するスパウト付きパウチ容器において、当該スパウトの口部の外周に形成された雄螺子に螺合して着脱自在に装着されるスパウト付きパウチ容器用キャップであって、前記雄螺子と螺合する雌螺子が内周面に形成されたキャップ穴と、前記キャップ穴内から突出して、長さが前記スパウトの口部及び吸込部を足し合わせた長さよりも長い棒状の棒状部と、を備え、前記雄螺子と前記雌螺子とが螺合すると、前記棒状部の先端部分が前記吸込部の先端から前記容器本体内に突出する。
【００１１】
スパウト付きパウチ容器の容器本体にアイスクリームやシャーベット等を詰め、スパウトの口部にスパウト付きパウチ容器用キャップを螺合して装着し、スパウト付きパウチ容器用キャップによってスパウトの口部を塞ぐ。スパウト付きパウチ容器用キャップの棒状部がスパウトの筒状の口部及び筒状の吸込部を貫通し、スパウト付きパウチ容器用キャップの棒状部の先端部分が吸込部の端部から容器本体内に突出し、容器本体内のアイスクリームやシャーベット等の中に埋没する。
アイスクリームやシャーベット等を詰めたスパウト付きパウチ容器を、例えば、−１８℃以下に保存すると、容器本体内のアイスクリームやシャーベット等が硬く凍って固体化する。このとき、スパウト付きパウチ容器用キャップの棒状部の先端部分は、凍ったアイスクリームやシャーベット等の中に埋没した状態となる。
【００１２】
飲食者が、スパウト付きパウチ容器に詰められたアイスクリームやシャーベット等を冷凍庫から取り出し、そのまま、スパウト付きパウチ容器用キャップを回して開ける。飲食者がスパウト付きパウチ容器用キャップを回すと、スパウト付きパウチ容器用キャップの棒状部の先端部分が、凍ったアイスクリームやシャーベット等の中で回転する。そして、飲食者がスパウト付きパウチ容器用キャップをスパウトの口部から取り外すと、スパウト付きパウチ容器用キャップの棒状部の先端部分が、凍ったアイスクリームやシャーベット等の中から引き抜かれる。スパウト付きパウチ容器用キャップの棒状部の先端部分が引き抜くと、凍ったアイスクリームやシャーベット等の中に空洞ができる。
【００１３】
スパウト付きパウチ容器用キャップをスパウトの口部から取り外したら、飲食者がスパウト付きパウチ容器の容器本体に圧力を手で加える。容器本体内の凍ったアイスクリームやシャーベット等に圧力が加わる。この圧力によって、アイスクリームやシャーベット等の中にできた空洞が押し潰され、空洞周辺の凍ったアイスクリームやシャーベット等が崩れる。空洞周辺の凍ったアイスクリームやシャーベット等の崩壊は、容器本体内で凍っている残りのアイスクリームやシャーベット等に伝播する。容器本体内で崩れ始めたアイスクリームやシャーベット等を揉み解して柔らかく流動化させることは簡単であり、短時間のうちに行うことができる。
【００１４】
したがって、飲食者は、アイスクリームやシャーベット等を詰めたスパウト付きパウチ容器を冷凍庫から取り出し、スパウト付きパウチ容器用キャップを開けてスパウトの口部から取り外し、容器本体に圧力を手で加えさえすれば、簡単に、容器本体内のアイスクリームやシャーベット等を口部から吸引して食することができる。
また、飲食者は、空洞周辺の凍ったアイスクリームやシャーベット等が崩れた時点で、容器本体内のアイスクリームやシャーベット等を口部から吸引して食することが可能である。そして、アイスクリームやシャーベット等を口部から吸引しながら、同時に、容器本体内のアイスクリームやシャーベット等を揉み解して柔らかく流動化させることができる。
【００１５】
請求項２の考案に係るスパウト付きパウチ容器用キャップは、請求項１に記載のスパウト付きパウチ容器用キャップであって、前記棒状部の先端部分の外周面が、周方向に隣接して並ぶ３枚以上の面によって形成されている。
飲食者が、アイスクリームやシャーベット等を詰めたスパウト付きパウチ容器を冷凍庫から取り出し、スパウト付きパウチ容器用キャップを開けると、スパウト付きパウチ容器用キャップの棒状部の先端部分が、凍ったアイスクリームやシャーベット等の中で回転する。回転するスパウト付きパウチ容器用キャップの棒状部の先端部分の面が凍ったアイスクリームやシャーベット等に当たり、周辺のアイスクリームやシャーベット等をかき回して崩す。
【００１６】
すなわち、飲食者がスパウト付きパウチ容器用キャップを開け、スパウト付きパウチ容器用キャップをスパウトの口部から取り外しさえすれば、凍ったアイスクリームやシャーベット等の中にできる空洞の周辺は既に崩れた状態となっている。したがって、飲食者は、一層簡単に、しかも短時間のうちに、容器本体内のアイスクリームやシャーベット等を揉み解して柔らかく流動化させることができる。
【００１７】
請求項３の考案に係るスパウト付きパウチ容器用キャップは、請求項２に記載のスパウト付きパウチ容器用キャップであって、前記棒状部の先端部分の外周面が、周方向に隣接して並ぶ３枚又は４枚の面によって形成されている。
考案者の知見によれば、スパウト付きパウチ容器用キャップの棒状部の先端部分の面の枚数を３枚又は４枚とし、飲食者がスパウト付きパウチ容器用キャップを開ければ、容器本体内の凍ったアイスクリームやシャーベット等が短時間のうちに効率よくかき回されて崩れることとなり好ましい。
【００１８】
請求項４の考案に係るスパウト付きパウチ容器用キャップは、請求項２又は請求項３に記載のスパウト付きパウチ容器用キャップであって、前記棒状部の先端部分の外周面を形成する面が、凹面である。
スパウト付きパウチ容器用キャップの棒状部の先端部分の面が凹面とすることで、先端部分の面の面積が広がる。先端部分の面の面積が広がれば、容器本体内のアイスクリームやシャーベット等に当たる面積も広がる。したがって、飲食者がスパウト付きパウチ容器用キャップを開ければ、容器本体内の凍ったアイスクリームやシャーベット等が短時間のうちに効率よくかき回されて崩れることとなり好ましい。
【００１９】
請求項５の考案に係るスパウト付きパウチ容器用キャップは、請求項１に記載のスパウト付きパウチ容器用キャップであって、前記棒状部の先端部分の外周面に螺旋が形成されている。
飲食者がスパウト付きパウチ容器用キャップを開けると、スパウト付きパウチ容器用キャップの棒状部の先端部分の螺旋が容器本体内のアイスクリームやシャーベット等の中で回転し、アイスクリームやシャーベット等が短時間のうちに効率よくかき回されて崩れることとなり好ましい。
【考案の効果】
【００２０】
上記のようなスパウト付きパウチ容器用キャップであるので、スパウト付きパウチ容器に詰めたアイスクリームやシャーベット等を簡単に食することができる。
【考案を実施するための最良の形態】
【００２１】
本考案を実施するための最良の形態を図１及び図２を参照しつつ説明する。
図１は本考案に係るスパウト付きパウチ容器用キャップを装着したスパウト付きパウチ容器の構成図、図２は図１のＩ−Ｉ線断面図である。
図１に示すスパウト付きパウチ容器１０は、容器本体１２、スパウト１６、キャップ２６とからなる。
【００２２】
容器本体１２は可撓性を有するシート状部材を袋状に形成した容器である。可撓性を有するシート状部材として、例えば、合成樹脂シート、合成樹脂フィルムを複数枚積層したシート、又は、合成樹脂フィルムと金属箔とをラミネートしたシート等を挙げることができる。
スパウト１６は合成樹脂によって形成されており、筒状の口部１８及び筒状の吸込部２０を有する。口部１８が吸出口を形成して容器本体１２外に突出している。吸込部２０が吸込口を形成して容器本体１２内に挿入されている。口部１８の内径と吸込部２０の内径とは互いに同径である。口部１８の外周面上には雄螺子２２が形成されている。
【００２３】
キャップ２６は合成樹脂によって形成されており、スパウト付きパウチ容器用キャップをなす。キャップ２６は略円柱形の形状を有する。キャップ穴２８がキャップ２６内に形成されている。キャップ２６の一方の円形端面にはキャップ穴２８が開口しており、キャップ２６の他方の円形端面は閉塞している。キャップ穴２８の内周面上には、口部１８の雄螺子２２と対応する雌螺子３０が形成されている。キャップ２６の外周面上には、たくさんの滑り止めの細い溝（図示せず）が形成されている。
【００２４】
キャップ２６は棒状部３２を有しており、棒状部３２がキャップ穴２８の最奥部からキャップ穴２８の外へ突出している。棒状部３２は合成樹脂製であり、キャップ２６と一体に形成されている。図１及び図２に示すように、棒状部３２の先端部分３４の外周面には４枚の面３６が形成されている。これらの４枚の面３６は先端部分３４の周方向に隣接して並んでいる。各面３６はそれぞれ凹面をなしている。この凹面は弓形の断面形状を有し、弓形の断面形状が棒状部３２の軸方向に連続している。
【００２５】
先端部分３４の最大径は口部１８及び吸込部２０の内径よりもやや小さく、先端部分３４がスパウト１６の口部１８及び吸込部２０を貫通可能に構成されている。棒状部３２の長さは、スパウト１６の長さよりも、先端部分３４の長さ相当分だけ長い。キャップ２６の雌螺子３０と口部１８の雄螺子２２とが螺合してキャップ２６が口部１８に装着され、棒状部３２がスパウト１６の口部１８及び吸込部２０を貫通すると、棒状部３２の先端部分３４が吸込部２０の先端から容器本体１２内に突出する構成となっている。
なお、スパウト１６とキャップ２６はそれぞれ射出成型により製造されたものである。
【００２６】
次に、作用について説明する。
工場において、アイスクリームがスパウト付きパウチ容器１０の容器本体１２内に充填され、キャップ２６が口部１８に装着されて、スパウト付きパウチ容器１０が密封される。密封されたスパウト付きパウチ容器１０は−１８℃以下に保存され、容器本体１２内のアイスクリームが硬く凍って固体化し、スパウト付きパウチ容器１０入りアイスクリームが完成する。キャップ２６の棒状部３２の先端部分３４は、容器本体１２内で凍ったアイスクリームの中に埋没しており、先端部分３４の面３６は周辺の凍ったアイスクリームと接触している。
【００２７】
スパウト付きパウチ容器１０入りアイスクリームは、−１８℃以下に保存されたまま出荷され、店頭で飲食者に販売される。
店頭において、飲食者が−１８℃以下に保存されたスパウト付きパウチ容器１０入りアイスクリームを購入し、購入後すぐに容器本体１２内のアイスクリームを食する場合を考える。
飲食者は、まず、キャップ２６を回して開ける。飲食者は、キャップ２６を回してキャップ２６の雌螺子３０とスパウト１６の口部１８の雄螺子２２との螺合を解いたら、キャップ２６を口部１８から取り外し、キャップ２６の棒状部３２を口部１８から引き抜く。
【００２８】
飲食者がキャップ２６を回すと、キャップ２６の棒状部３２が軸周りに回転し、棒状部３２の先端部分３４が凍ったアイスクリームの中で回転する。先端部分３４が凍ったアイスクリームの中で回転すると、先端部分３４の周辺の凍ったアイスクリームが面３６と当たってかき回されて崩れる。
飲食者がキャップ２６の棒状部３２を口部１８から引き抜くと、棒状部３２の先端部分３４のあとが空洞となって容器本体１２内のアイスクリーム内に残る。この空洞の内壁周辺のアイスクリームは、先端部分３４の面３６によってかき回されて崩れており、柔らかな状態となっている。
【００２９】
飲食者は、キャップ２６の棒状部３２を口部１８から引き抜いたら、そのまま、手で押し潰すようにして容器本体１２に圧力を加える。容器本体１２内の凍ったアイスクリームに圧力が加わる。この圧力によって、先端部分３４のあとにできた空洞が押し潰されて、空洞周辺の凍ったアイスクリームが崩れ、流動化して柔らかくなる。容器本体１２内のアイスクリームの一部分が崩れて流動化し柔らかくなりはじめると、この崩壊は容器本体１２の残りの凍ったアイスクリームにもすぐ伝播し、容器本体１２内のアイスクリーム全体がすぐに崩れてしまう。したがって、飲食者は、容器本体１２内のアイスクリームを簡単に揉み解して柔らかく流動化させることができる。
【００３０】
容器本体１２内のアイスクリームやシャーベット等が流動化して柔らかくなったら、飲食者はスパウト１６の口部１８を口にくわえ、アイスクリームを口部１８から吸引する。飲食者がアイスクリームを口部１８から吸引すると容器本体１２が萎むので、飲食者はアイスクリームを容易に食することができ、滑らかなクリーム状のアイスクリームの食感を楽しむことができる。
【００３１】
なお、飲食者は、キャップ２６の棒状部３２を口部１８から引き抜き、手で押し潰すようにして容器本体１２に圧力を加えたら、すぐにアイスクリームを口部１８から吸引することもできる。そして、飲食者は、容器本体１２内のアイスクリームを揉み解しながら、アイスクリームを口部１８から吸引し続ける。
本実施の形態では、棒状部３２の先端部分３４の外周面に４枚の面３６を形成しているが、代わりに、図４の変形例に示す構成とすることが可能である。
【００３２】
キャップ２６の棒状部３２の先端部分３４の外周面には、螺旋３８が形成されている。螺旋３８の最大径は口部１８の内径よりもやや小さくなっており、先端部分３４がスパウト１６の口部１８及び吸込部２０を貫通可能に構成されている。
−１８℃以下に保存されたスパウト付きパウチ容器１０入りアイスクリームにおいて、キャップ２６の棒状部３２の先端部分３４の螺旋３８は容器本体１２内の凍ったアイスクリームの中に埋没している。
【００３３】
飲食者がキャップ２６を回して開けると、キャップ２６の棒状部３２の先端部分３４の螺旋３８が容器本体１２内の凍ったアイスクリームの中で回転し、先端部分３４の周辺の凍ったアイスクリームが螺旋３８によってかき回されて崩れる。
そして、飲食者がキャップ２６の棒状部３２を口部１８から引き抜くと、先端部分３４のあとが空洞となって残る。この空洞の内壁周辺のアイスクリームは、先端部分３４の螺旋３８によってかき回されて崩れており、柔らかな状態となっている。
このあと、飲食者が手で押し潰すようにして容器本体１２に圧力を加えれば、容器本体１２内の凍ったアイスクリームは簡単に崩れてしまう。飲食者は、容器本体１２内のアイスクリームを簡単に揉み解して柔らかく流動化させることができる。
【図面の簡単な説明】
【００３４】
【図１】本考案に係るスパウト付きパウチ容器用キャップを装着したスパウト付きパウチ容器の構成図である。
【図２】図１のＩ−Ｉ線断面図である。
【図３】変形例に係るスパウト付きパウチ容器用キャップを装着したスパウト付きパウチ容器の構成図である。
【図４】従来あるスパウト付きパウチ容器の構成図である。
【符号の説明】
【００３５】
１０    スパウト付きパウチ容器
１２    容器本体
１６    スパウト
１８    口部
２０    吸込部
２２    雄螺子
２６、１２６    キャップ
２８、１２８    キャップ穴
３０、１３０    雌螺子
３２    棒状部
３４    棒状部の先端部分
３６    面
３８    螺旋
【図１】
0003117976.tif 000003
【図２】
0003117976.tif 000004
【図３】
0003117976.tif 000005
【図４】
0003117976.tif 000006